(57)【要約】      （修正有）【課題】外部電源接続時に、外部電源給電送信モードを用いると共に、バッテリーの電源を離脱するバイパス制御可能なワイヤレス充電装置を提供する。【解決手段】ロジック制御ユニッット１０に電気的に接続されたワイヤレス送信ユニット２０、フルブリッジインバータ３０、昇降圧ユニット４０、放電スイッチユニット５０、逆流防止器６０を含む。放電スイッチユニットがバッテリー７０に接続され、逆流防止器の流入端子６０１が充電端子６１２に接続される。外部電源が充電端子に接続された場合には、ロジック制御ユニットにより逆流防止器をオン、放電スイッチユニットをオフし、外部電源の入力電圧が当該昇降圧ユニットにより昇圧され、さらにフルブリッジインバータを介して直流電流を交流電流に変換し、ワイヤレス送信ユニット内のコイルに誘導され伝送電力として供給し、相手側の電子製品がワイヤレス送信ユニットから伝送された電力を受けるようになる。【選択図】図１
0003188557.tif 000002
【実用新案登録請求の範囲】
【請求項１】
ロジック制御ユニットと、
前記ロジック制御ユニットに接続されたワイヤレス送信ユニットと、
前記ワイヤレス送信ユニットと前記ロジック制御ユニットとを接続するフルブリッジインバータと、
前記フルブリッジインバータと前記ロジック制御ユニットとを接続する昇降圧ユニットと、
バッテリー接続端子と、前記ロジック制御ユニットに接続された信号制御端子と、前記昇降圧ユニットに接続された出力端子とが設けられた放電スイッチユニットと、
前記放電スイッチユニットのバッテリー接続端子に接続されたバッテリーと、
一端が前記バッテリー接続端子に接続され、他端が第１ダイオードを介して前記信号制御端子に接続された制御スイッチと、
流入端子、流出端子及び制御端子を有し、前記流入端子が第１抵抗の一端及び充電端子に接続され、前記第１抵抗の他端が前記ロジック制御ユニット及び第２抵抗の一端に接続され、前記第２抵抗の他端が接地し、前記流出端子が前記放電スイッチユニットと前記昇降圧ユニットとの間に接続され、さらに前記制御端子が前記ロジック制御ユニットに接続された逆流防止器と、を含む、
バイパス制御可能なワイヤレス充電装置。
【請求項２】
前記逆流防止器は、第１トランジスタと、第２トランジスタと、第３抵抗と、第１バイポーラ接合トランジスタと、第４抵抗とを有し、前記第１トランジスタ及び前記第２トランジスタはドレイン端子、ソース端子及びゲート端子をそれぞれ有し、前記第３抵抗の一端が前記第１トランジスタ及び前記第２トランジスタのソース端子に接続され、前記第３抵抗の他端が前記第１トランジスタ及び前記第２トランジスタのゲート端子と前記第１バイポーラ接合トランジスタとに接続され、さらに、前記第１バイポーラ接合トランジスタは、コレクタ端子、エミッタ端子及びベース端子を有し、前記コレクタ端子が前記第３抵抗の他端に接続され、前記エミッタ端子が接地し、前記ベース端子が前記第４抵抗を介して前記ロジック制御ユニットに接続されていることを特徴とする請求項１記載のバイパス制御可能なワイヤレス充電装置。
【請求項３】
前記第１トランジスタ及び前記第２トランジスタは、それぞれ、金属酸化膜半導体電界効果トランジスタであることを特徴とする請求項２記載のバイパス制御可能なワイヤレス充電装置。
【請求項４】
前記放電スイッチユニットは、さらに、第３トランジスタと、第４トランジスタと、第５抵抗と、第６抵抗と、第２バイポーラ接合トランジスタとを有し、前記第３トランジスタ及び前記第４トランジスタは、ドレイン端子、ソース端子及びゲート端子をそれぞれ有し、前記第５抵抗の一端が前記第３トランジスタ及び前記第４トランジスタのソース端子に接続され、前記第５抵抗の他端が前記第３トランジスタ及び前記第４トランジスタのゲート端子と前記第２バイポーラ接合トランジスタとに接続され、さらに、前記第２バイポーラ接合トランジスタは、コレクタ端子、エミッタ端子、ベース端子を有し、前記コレクタ端子が前記第５抵抗の他端に接続され、前記エミッタ端子が接地し、前記ベース端子が前記第６抵抗を介して前記信号制御端子に接続されていることを特徴とする請求項１記載のバイパス制御可能なワイヤレス充電装置。
【請求項５】
前記第３トランジスタ及び前記第４トランジスタは、それぞれ、金属酸化膜半導体電界効果トランジスタであることを特徴とする請求項４記載のバイパス制御可能なワイヤレス充電装置。
【請求項６】
前記昇降圧ユニットは、インダクタンスと、第５トランジスタと、第６トランジスタと、キャパシターとを含み、前記インダクタンスの一端が前記逆流防止器及び前記放電スイッチユニットに接続され、前記インダクタンスの他端が前記第５トランジスタと前記第６トランジスタとの間に接続され、前記第５及び第６トランジスタは、ドレイン端子、ソース端子及びゲート端子をそれぞれ有し、前記第５トランジスタのソース端子が前記第６トランジスタのドレイン端子に接続され、前記第５トランジスタのドレイン端子が前記キャパシターの一端及び前記フルブリッジインバータに接続され、前記キャパシターの他端が接地することを特徴とする請求項１記載のバイパス制御可能なワイヤレス充電装置。
【請求項７】
前記第５トランジスタ及び前記第６トランジスタはそれぞれ、金属酸化膜半導体電界効果トランジスタであることを特徴とする請求項６記載のバイパス制御可能なワイヤレス充電装置。
【請求項８】
前記フルブリッジインバータは、第１ピンと、第２ピンと、第３ピンと、第４ピンとを有し、前記第１ピンが前記昇降圧ユニットに接続され、前記第２ピン及び前記第４ピンが前記ワイヤレス送信ユニットに接続され、前記第３ピンが接地することを特徴とする請求項１記載のバイパス制御可能なワイヤレス充電装置。
【請求項９】
前記フルブリッジインバータは、さらに、第７トランジスタと、第８トランジスタと、第９トランジスタと、第１０トランジスタとを有し、かつ、前記第７トランジスタ、第８トランジスタ、第９トランジスタ及び第１０トランジスタは、ゲート端子をそれぞれ有し、前記各ゲート端子により前記ロジック制御ユニットに接続されていることを特徴とする請求項８記載のバイパス制御可能なワイヤレス充電装置。
【請求項１０】
前記第７トランジスタ、前記第８トランジスタ、前記第９トランジスタ及び前記第１０トランジスタは、それぞれ、金属酸化膜半導体電界効果トランジスタであることを特徴とする請求項９記載のバイパス制御可能なワイヤレス充電装置。
【請求項１１】
前記ロジック制御ユニットは、検出端子と、デジタル信号制御端子と、逆流防止信号端子と、送信保持端子と、送信識別端子と、第１パルス幅変調制御端子と、第２パルス幅変調制御端子と、第１制御端子と、第２制御端子と、第３制御端子と、第４制御端子と、電圧端子と、送信制御信号端子とを有し、前記検出端子が前記第１抵抗の他端及び前記第２抵抗の一端に接続され、前記デジタル信号制御端子が第２ダイオードを介して前記信号制御端子に接続され、前記逆流防止信号端子が前記逆流防止器の制御端子に接続され、前記送信保持端子が第３ダイオードを介して前記放電スイッチユニットの信号制御端子に接続され、前記送信識別端子が第７抵抗を介して前記放電スイッチユニットの信号制御端子に接続され、前記第１パルス幅変調制御端子及び前記第２パルス幅変調制御端子が前記昇降圧ユニットに接続され、前記第１制御端子と前記第２制御端子と前記第３制御端子と前記第４制御端子とが前記フルブリッジインバータに順次に接続され、前記電圧端子が前記昇降圧ユニットと前記フルブリッジインバータとの間に接続され、前記送信制御信号端子が前記ワイヤレス送信ユニットに接続されていることを特徴とする請求項１記載のバイパス制御可能なワイヤレス充電装置。
【請求項１２】
前記逆流防止器の充電端には外部電源がさらに接続されていることを特徴とする請求項１記載のバイパス制御可能なワイヤレス充電装置。
【請求項１３】
前記制御スイッチは自動復帰スイッチであることを特徴とする請求項１記載のバイパス制御可能なワイヤレス充電装置。
【考案の詳細な説明】
【技術分野】
【０００１】
本考案は、バイパス制御可能なワイヤレス充電装置に係り、特に、外部電源が接続されると、外部電源給電送信モードを用いるとともに、バッテリーからの電源を離脱する一方、外部電源が検知されないと、バッテリー送信モードを起動し、ワイヤレス送信ユニット用の伝送電力をバッテリーの電力で自動的に供給するバイパス制御可能なワイヤレス充電装置に関する。
【背景技術】
【０００２】
ワイヤレス充電は日々盛んに行われており、将来的にはどこでもワイヤレス充電が可能になることは間違いないだろう。
【０００３】
どこでもワイヤレス充電が可能になれば、極めて便利であるが、有線充電も無線充電も、充電が始まる度に生じたサージは、いずれも、バッテリーに対して損壊を累積的に与えてしまい、バッテリーの寿命が累積的に減っていく。言い換えれば、充電回数が多くなればなるほど、バッテリーの寿命が短くなり、かつ、バッテリーの充放電効率も劣っていく。
【０００４】
上記から明らかなように、従来のワイヤレス充電装置は、バッテリーで伝送電力を供給しているため、バッテリーの使用寿命が損耗し易く、伝送電力を供給する効率が悪いという欠点がある。
【０００５】
これに鑑みて、本考案者は、専念に研究や設計、組み立てをし、本考案の創作に至った。
外部電源が接続されると、外部電源給電送信モードを用いるとともに、バッテリーからの電源を離脱する一方、外部電源が検知されないと、バッテリー送信モードを起動し、ワイヤレス送信ユニット用の伝送電力をバッテリーの電力で自動的に供給する、バイパス制御可能なワイヤレス充電装置の提供を図ることが、本考案を創作した動機である。
【考案の概要】
【考案が解決しようとする課題】
【０００６】
本考案は、外部電源が接続されると、外部電源給電送信モードを用いるとともに、バッテリーからの電源を離脱するバイパス制御可能なワイヤレス充電装置を提供することを主な目的とする。
【０００７】
本考案は、外部電源が検知されないと、バッテリー送信モードを起動し、ワイヤレス送信ユニット用の伝送電力をバッテリーの電力で自動的に供給するバイパス制御可能なワイヤレス充電装置を提供することを次の目的とする。
【課題を解決するための手段】
【０００８】
前記目的を達成するために、本考案に係るバイパス制御可能なワイヤレス充電装置は、ロジック制御ユニットと、前記ロジック制御ユニットに接続されたワイヤレス送信ユニットと、前記ワイヤレス送信ユニットと前記ロジック制御ユニットとを接続するフルブリッジインバータと、前記フルブリッジインバータと前記ロジック制御ユニットとを接続する昇降圧ユニットと、バッテリー接続端子、前記ロジック制御ユニットに接続された信号制御端子、および前記昇降圧ユニットに接続された出力端子が設けられた放電スイッチユニットと、前記放電スイッチユニットのバッテリー接続端子に接続されたバッテリーと、一端が前記バッテリー接続端子に接続され、他端が第１ダイオードを介して前記信号制御端子に接続された制御スイッチと、流入端子、流出端子及び制御端子を有し、前記流入端子が第１抵抗の一端及び充電端子に接続され、前記第１抵抗の他端が前記ロジック制御ユニット及び第２抵抗の一端に接続され、前記第２抵抗の他端が接地し、前記流出端子が前記放電スイッチユニットと前記昇降圧ユニットとの間に接続され、さらに前記制御端子が前記ロジック制御ユニットに接続された逆流防止器と、を含む。
【０００９】
前記逆流防止器の充電端子に外部電源が接続されると、前記ロジック制御ユニットによって前記逆流防止器をオン、前記放電スイッチユニットをオフし、外部電源の入力電圧が前記昇降圧ユニットにより昇圧され、さらに前記フルブリッジインバータを介して直流電流を交流電流に変換するとともに、前記ワイヤレス送信ユニット内のコイルに誘導されて伝送電力として供給し、前記ワイヤレス送信ユニットの伝送電力を相手側の電子製品まで誘導されることによって、ワイヤレス充電の目的を果たす。
【００１０】
よって、外部電源が接続されると、外部電源給電送信モードを用いるとともに、バッテリーからの電源を離脱する一方、外部電源が検知されないと、バッテリー送信モードを起動し、ワイヤレス送信ユニット用の伝送電力をバッテリーの電力で自動的に供給する。
【００１１】
本考案の特徴、特点および技術的内容をより深く理解するために、以下の本考案に係る詳細説明および添付図面を参照する。前記添付図面は参考や説明のために供されるにすぎず、本考案を限定するものではない。
【図面の簡単な説明】
【００１２】
【図１】本考案の実施例を模式的に示すブロック図である。
【図２】本考案の実施例を模式的に示す回路図である。
【考案を実施するための形態】
【００１３】
図１及び図２を同時に参照する。本考案に係るバイパス制御可能なワイヤレス充電装置は、ロジック制御ユニット１０と、ロジック制御ユニット１０に接続されたワイヤレス送信ユニット２０と、ワイヤレス送信ユニット２０とロジック制御ユニット１０とを接続するフルブリッジインバータ３０と、フルブリッジインバータ３０とロジック制御ユニット１０とを接続する昇降圧ユニット４０と、バッテリー接続端子５０１と信号制御端子５０２と出力端子５０３が設けられ、信号制御端子５０２がロジック制御ユニット１０に接続され、出力端子５０３が昇降圧ユニット４０に接続され、ここで、バッテリー接続端子５０１がバッテリー７０にさらに接続された放電スイッチユニット５０と、自動復帰スイッチであって、一端がバッテリー接続端子５０１に接続され、他端が第１ダイオード５３１を介して信号制御端子５０２に接続された制御スイッチ５３と、流入端子６０１と流出端子６０３と制御端子６０２とを有し、流入端子６０１が第１抵抗６１１の一端及び充電端子６１２に接続され、ここで、充電端子６１２が外部電源（図示せず）にさらに接続され、第１抵抗６１１の他端がロジック制御ユニット１０及び第２抵抗６１３の一端に接続され、第２抵抗６１３の他端が接地し、流出端子６０３が放電スイッチユニット５０と昇降圧ユニット４０との間に接続され、さらに制御端子６０２がロジック制御ユニット１０に接続された逆流防止器６０と、を含む。
【００１４】
逆流防止器６０の充電端子６１２が外部電源に接続されると、ロジック制御ユニット１０によって逆流防止器６０をオン、放電スイッチユニット５０をオフし、外部電源の入力電圧が昇降圧ユニット４０により昇圧される。
さらにフルブリッジインバータ３０を介して直流電流を交流電流に変換するとともに、ワイヤレス送信ユニット２０内のコイルに誘導されて伝送電力として供給し、ワイヤレス送信ユニット２０の伝送電力を相手側の電子製品まで誘導されることによって、ワイヤレス充電の目的を果たす。
【００１５】
ここで、逆流防止器６０は、第１トランジスタ６４、第２トランジスタ６５、第３抵抗６６、第１バイポーラ接合トランジスタ６７及び第４抵抗６８を有し、第１トランジスタ６４及び第２トランジスタ６５はドレイン端子６４１、６５１、ソース端子６４２、６５２及びゲート端子６４３、６５３をそれぞれ有し、第３抵抗６６の一端が第１トランジスタ６４及び第２トランジスタ６５のソース端子６４２、６５２に接続され、第３抵抗６６の他端が第１トランジスタ６４及び第２トランジスタ６５のゲート端子６４３、６５３と第１バイポーラ接合トランジスタ６７とに接続される。
さらに、第１バイポーラ接合トランジスタ６７は、コレクタ端子６７２、エミッタ端子６７３、ベース端子６７１を有し、コレクタ端子６７２が第３抵抗６６の他端に接続され、エミッタ端子６７３が接地し、ベース端子６７１が第４抵抗６８を介してロジック制御ユニット１０に接続され、ここで、第１トランジスタ６４及び第２トランジスタ６５は、それぞれ、ＭＯＳＦＥＴ(登録商標)（金属酸化膜半導体電界効果トランジスタ）である。
【００１６】
また、放電スイッチユニット５０は、さらに、第３トランジスタ５４、第４トランジスタ５５、第５抵抗５６、第６抵抗５８及び第２バイポーラ接合トランジスタ５７を有し、第３トランジスタ５４及び第４トランジスタ５５は、ドレイン端子５４１、５５１、ソース端子５４２、５５２及びゲート端子５４３、５５３をそれぞれ有し、第５抵抗５６の一端が第３トランジスタ５４及び第４トランジスタ５５のソース端子５４２、５５２に接続され、第５抵抗５６の他端が第３トランジスタ５４及び第４トランジスタ５５のゲート端子５４３、５５３と第２バイポーラ接合トランジスタ５７とに接続される。
さらに、第２バイポーラ接合トランジスタ５７は、コレクタ端子５７２、エミッタ端子５７３、ベース端子５７１を有し、コレクタ端子５７２が第５抵抗５６の他端に接続され、エミッタ端子５７３が接地し、ベース端子５７１が第６抵抗５８を介して信号制御端子５０２に接続される。
ここで、第３トランジスタ５４及び第４トランジスタ５５は、それぞれ、金属酸化膜半導体電界効果トランジスタである。
【００１７】
昇降圧ユニット４０は、インダクタンス４１、第５トランジスタ４２、第６トランジスタ４３及びキャパシター４４を含み、インダクタンス４１の一端が逆流防止器６０及び放電スイッチユニット５０に接続され、インダクタンス４１の他端が第５トランジスタ４２と第６トランジスタ４３との間に接続される。
第５トランジスタ４２及び第６トランジスタ４３は、ドレイン端子４２１、４３１、ソース端子４２２、４３２及びゲート端子４２３、４３３をそれぞれ有し、第５トランジスタ４２のソース端子４２２が第６トランジスタ４３のドレイン端子４３１に接続され、第５トランジスタ４２のドレイン端子４２１がキャパシター４４の一端及びフルブリッジインバータ３０に接続され、キャパシター４４の他端が接地する。
ここで、第５トランジスタ４２及び第６トランジスタ４３はそれぞれ、金属酸化膜半導体電界効果トランジスタである。
【００１８】
さらに、フルブリッジインバータ３０は、第１ピン３１、第２ピン３２、第３ピン３３及び第４ピン３４を有し、第１ピン３１が昇降圧ユニット４０に接続され、第２ピン３２及び第４ピン３４がワイヤレス送信ユニットに接続され、第３ピン３３が接地する。
また、フルブリッジインバータ３０は、さらに、第７トランジスタ３５、第８トランジスタ３６、第９トランジスタ３７及び第１０トランジスタ３８を有し、かつ、第７トランジスタ３５、第８トランジスタ３６、第９トランジスタ３７及び第１０トランジスタ３８は、ゲート端子３５１、３６１、３７１、３８１をそれぞれ有し、各ゲート端子３５１、３６１、３７１、３８１によりロジック制御ユニット１０に接続される。
ここで、第７トランジスタ３５、第８トランジスタ３６、第９トランジスタ３７及び第１０トランジスタ３８は、それぞれ、金属酸化膜半導体電界効果トランジスタである。
【００１９】
ロジック制御ユニット１０は、検出端子１０１、デジタル信号制御端子１０２、逆流防止信号端子１０３、送信保持端子１０４、送信識別端子１０５、第１パルス幅変調制御端子１０６、第２パルス幅変調制御端子１０７、第１制御端子１０８、第２制御端子１０９、第３制御端子１１０、第４制御端子１１１、電圧端子１１２及び送信制御信号端子１１３を有する。
検出端子１０１は第１抵抗６１１の他端及び第２抵抗６１３の一端に接続され、デジタル信号制御端子１０２が第２ダイオード５３２を介して信号制御端子５０２に接続され、逆流防止信号端子１０３が逆流防止器６０の制御端子６０２に接続され、送信保持端子１０４が第３ダイオード５３３を介して放電スイッチユニット５０の信号制御端子５０２に接続され、送信識別端子１０５が第７抵抗５３４を介して放電スイッチユニット５０の信号制御端子５０２に接続され、第１パルス幅変調制御端子１０６及び第２パルス幅変調制御端子１０７が昇降圧ユニット４０に接続され、第１制御端子１０８と第２制御端子１０９と第３制御端子１１０と第４制御端子１１１とがフルブリッジインバータ３０に順次に接続され、電圧端子１１２が昇降圧ユニット４０とルブリッジインバータ３０との間に接続され、送信制御信号端子１１３がワイヤレス送信ユニット２０に接続される。
【００２０】
本考案のバイパス制御可能なワイヤレス充電装置が提供する送信モードは、バッテリー送信モードと外部電源給電送信モードとを含む。外部電源が接続されると、外部電源給電送信モードを用いるとともに、バッテリー７０からの電源を離脱する一方、外部電源が検知されないと、バッテリー送信モードを起動し、ワイヤレス送信ユニット２０用の伝送電力をバッテリー７０の電力で自動的に供給する。
【００２１】
バッテリー送信モードを用いる場合には、放電スイッチユニット５０を、制御スイッチ５３を押圧することにより切り替えることもできるし、ロジック制御ユニット１０のデジタル信号制御端子１０２で信号を送信して切り替えることもできる。
制御スイッチ５３を押して放電スイッチユニット５０をオンさせると、バッテリー送信モードに移り、現在はバッテリー送信モードに切り替えられたことをロジック制御ユニット１０によって識別し、放電スイッチユニット５０によって電気が通るようになる。
さらに、昇降圧ユニット４０の第５トランジスタ４２を経由してロジック制御ユニット１０の電圧端子１１２に接続して、ロジック制御ユニットに電力を供給できるようになる。
【００２２】
ロジック制御ユニット１０によって現在、バッテリー送信モードであると識別された場合には、第３ダイオード５３３によりロジック制御ユニット１０の送信保持端子１０４をバッテリー送信モードに保持されたまま用いるとともに、送信識別端子１０５に伝送信号を供給し続けることもできるから、送信状態を保つことができる。
【００２３】
ロジック制御ユニット１０の送信制御信号端子１１３は、アンテナが内蔵されたワイヤレス送信ユニット２０の相手側に充電すべき電子製品があるか否かを検出し、検出されないと、ロジック制御ユニット１０は送信を停止するよう制御する。前記検出は、送信制御信号端子１１３によりワイヤレス送信ユニット２０の相手側に負荷が確かにあるかを検出するようになっている。
【００２４】
負荷がなければ、送信を停止させる。
【００２５】
負荷があれば、ロジック制御ユニット１０は、その第１及び第２パルス幅変調制御端子１０６、１０７により信号を出力して昇降圧ユニット４０のうちの第５、第６トランジスタ４２、４３を駆動する。第１パルス幅変調制御端子１０６及び第２パルス幅変調制御端子１０７の信号によって第５、第６トランジスタ４２、４３に対して高い頻度で交互にオン／オフを行わせ続けることができる。
第６トランジスタ４３がオン、第５トランジスタ４２がオフであると、第６トランジスタ４３及びバッテリー７０の一端がいずれも接地して回路を形成しているため、バッテリー７０の電力が放電スイッチユニット５０及び昇降圧ユニット４０のインダクタンス４１を介して第６トランジスタ４３に流れるため、インダクタンス４１に対し充電することができる。
第５トランジスタ４２がオン、第６トランジスタ４３がオフであると、バッテリー７０からの電力がインダクタンス４１に流れてから、第５トランジスタ４２に代ってインダクタンス４１を放電させるとともに、キャパシター４４に応じて直流電流を出力する。ここで、直流電流は同期整流昇圧された直流電流であり、さらに、フルブリッジインバータ３０により直流電流を交流電流に変換するとともに、ワイヤレス送信ユニット２０に誘導されて伝送電力として外部に供給する。
【００２６】
言い換えれば、第５、第６トランジスタ４２、４３をオン・オフまたはオフ・オンにすることにより、インダクタンス４１を充放電させ、キャパシター４４により同期整流昇圧された直流電流を蓄え、さらにフルブリッジインバータ３０により直流電流を交流電流に変換するとともに、ワイヤレス送信ユニット２０に誘導されて伝送電力として外部に供給し、それに応じて、相手側の電子製品がワイヤレス送信ユニット２０から伝送された電力を受けることができるようになり、ワイヤレス充電の目的を果たす。
【００２７】
外部電源給電送信モードを用いる場合、逆流防止器６０の充電端子６１２が外部電源に接続されると、ロジック制御ユニット１０の検出端子１０１は、外部電源が接続されたことを検出することができるとともに、本考案のバイパス制御可能なワイヤレス充電装置を外部電源給電送信モードに切替える。
そして、ロジック制御ユニット１０のデジタル信号制御端子１０２が信号を送信して電池の放電を防ぐように放電スイッチユニット５０をオフし、かつ逆流防止器６０をオンし、外部電力から供給された電力が昇降圧ユニット４０に直接的に流れるようになり、外部電力から供給された電力が昇降圧ユニット４０を経て同期整流昇圧され、さらにフルブリッジインバータ３０を介して直流電流を交流電流に変換し、ワイヤレス送信ユニット２０に誘導されて伝送電力として外部に供給する。
【００２８】
ロジック制御ユニット１０の送信制御信号端子１１３は、アンテナが内蔵されたワイヤレス送信ユニット２０の相手側に充電すべき電子製品があるか否かを検出し、検出されないと、ロジック制御ユニット１０は送信を停止させるよう制御する。前記検出は、送信制御信号端子１１３によりワイヤレス送信ユニット２０の相手側に負荷が確かにあるか否かを検出するようになっている。
【００２９】
負荷がなければ、送信を停止させる。
【００３０】
負荷があれば、ロジック制御ユニット１０は、その第１及び第２パルス幅変調制御端子１０６、１０７により信号を出力して昇降圧ユニット４０のうちの第５、第６トランジスタ４２、４３を駆動する。第１パルス幅変調制御端子１０６及び第２パルス幅変調制御端子１０７の信号により第５、第６トランジスタ４２、４３に対して高い頻度で交互にオン／オフを行わせ続けることができる。
第６トランジスタ４３がオン、第５トランジスタ４２がオフであるとき、第６トランジスタ４３及び外部電源の一端がいずれも接地して回路を形成しているため、外部電源の電力が逆流防止器６０及び昇降圧ユニット４０のインダクタンス４１を介して第６トランジスタ４３に流れ、インダクタンス４１に対し充電することができる。
第５トランジスタ４２がオン、第６トランジスタ４３がオフであるとき、バッテリーからの電力がインダクタンス４１に流れてから、第５トランジスタ４２に代ってインダクタンス４１を放電させ、キャパシター４４に応じて直流電流を出力する。ここで、直流電流は同期整流昇圧された直流電であり、さらに、フルブリッジインバータ３０により直流電流を交流電流に変換し、ワイヤレス送信ユニット２０に誘導されて伝送電力として外部に供給する。
【００３１】
言い換えれば、第５、第６トランジスタ４２、４３をオン／オフまたはオフ／オンにすることにより、インダクタンス４１を充放電させ、キャパシター４４により同期整流昇圧された直流電を蓄え、さらに、フルブリッジインバータ３０により直流電流を交流電流に変換し、ワイヤレス送信ユニット２０に誘導されて伝送電力として外部に供給する。これに応じて、相手側の電子製品がワイヤレス送信ユニット２０から伝送された電力を受けることができるようになり、よって、ワイヤレス充電の目的を果たす。
【００３２】
上記に説明した、本考案の特長を以下にまとめる。
【００３３】
１．本考案は、バッテリーの使用寿命を延ばすことができ、外部電源が接続されると、外部電源給電送信モードを用いるとともに、バッテリーからの電源を離脱する一方、外部電源が検知されないと、バッテリー送信モードを起動し、ワイヤレス送信ユニット用の伝送電力をバッテリーの電力で自動的に供給する。
２．本考案は、室外で使用されるときにモバイルバッテリーとなり、相手側の電子製品がワイヤレス送信ユニットから伝送された電力を対応して受電することができるため、ワイヤレス充電の目的を果たす。
３．本考案は、電力の使用効率を向上し、外部電源によりワイヤレス送信ユニットの伝送電力を直接に提供することができる。
【００３４】
以上は、単に本考案の好ましい実施例にすぎず、本考案の実用新案登録請求の範囲を限定するものではない。いずれの本考案の明細書および図面の内容によって実施した等価な変形も、本考案の主張範囲内に納入されるべきことは言うまでもない。
【符号の説明】
【００３５】
１０    ロジック制御ユニット
２０    ワイヤレス送信ユニット
３０    フルブリッジインバータ
３１    第１ピン
３２    第２ピン
３３    第３ピン
３４    第４ピン
３５    第７トランジスタ
３６    第８トランジスタ
３７    第９トランジスタ
３８    第１０トランジスタ
４０    昇降圧ユニット
４１    インダクタンス
４２    第５トランジスタ
４３    第６トランジスタ
４４    キャパシター
５０    放電スイッチユニット
５３    制御スイッチ
５４    第３トランジスタ
５５    第４トランジスタ
５６    第５抵抗
５７    第２バイポーラ接合トランジスタ
５８    第６抵抗
６０    逆流防止器
６４    第１トランジスタ
６５    第２トランジスタ
６６    第３抵抗
６７    第１バイポーラ接合トランジスタ
６８    第４抵抗
７０    バッテリー
１０１    検出端子
１０２    デジタル信号制御端子
１０３    逆流防止信号端子
１０４    送信保持端子
１０５    送信識別端子
１０６    第１パルス幅変調制御端子
１０７    第２パルス幅変調制御端子
１０８    第１制御端子
１０９    第２制御端子
１１０    第３制御端子
１１１    第４制御端子
１１２    電圧端子
１１３    送信制御信号端子
３５１、３６１、３７１、３８１    ゲート端子
４２１、４３１    ドレイン端子
４２２、４３２    ソース端子
４２３、４３３    ゲート端子
５０１    バッテリー接続端子
５０２    信号制御端子
５０３    出力端子
５３１    第１ダイオード
５３２    第２ダイオード
５３３    第３ダイオード
５３４    第７抵抗
５４１、５５１    ドレイン端子
５４２、５５２    ソース端子
５４３、５５３    ゲート端子
５７１    ベース端子
５７２    コレクタ端子
５７３    エミッタ端子
６０１    流入端子
６０２    制御端子
６０３    流出端子
６１１    第１抵抗
６１２    充電端子
６１３    第２抵抗
６４１、６５１    ドレイン端子
６４２、６５２    ソース端子
６４３、６５３    ゲート端子
６７１    ベース端子
６７２    コレクタ端子
６７３    エミッタ端子
【図１】
0003188557.tif 000003
【図２】
0003188557.tif 000004